(57)【要約】【課題】下部支柱と上部支柱とを固定するボルトが、外部に露出しないようにする。【解決手段】下部支柱１と上部支柱２を、ピンと溝を介して嵌め合わせて接続し、下部支柱１の止板１２に上下方向の孔１４を設け、上部支柱２の止板１３に上下方向の長孔１５を設け、点検窓１１を介して、両孔にボルト軸１０を挿通してナット止めする。両支柱１，２を固定するボルトが筒内に収まるので、支柱の美観を損なわない。また、前記孔１４は、止板１２先端に開口して設けられ、ボルト軸１０は、前記開口から孔１４へ出入可能とするとともに、ボルト軸頭部１０ａ端面が、止板１２下方に突出して設けたストッパ１６に当接するので回転を防止でき、落下防止板１６ａがボルト１０の頭部１０ａを受けるので下方に落下させない。また、両支柱１，２を嵌め合わせる際に軸周りに回転させても、ボルト軸１０が長穴１５内を移動するので、ボルト軸１０の締めつけ時に両支柱１，２を固定する向きを調整し得る。【選択図】  図１
2004339751.tif 000002
【特許請求の範囲】
【請求項１】
下部支柱１と上部支柱２とからなり、その下部支柱１上端部と上部支柱２下端部とを嵌め合わせることにより、下部支柱１に上部支柱２を接続する組立支柱構造において、
前記下部支柱１と上部支柱２の内周面にそれぞれ横向きの止板１２，１３を取り付け、その止板１２，１３にそれぞれ上下方向の孔１４，１５を形成し、両孔１４，１５にボルト軸１０を挿通してナット止めすることにより、前記両止板１２，１３を近づける方向に締めつけて、下部支柱１と上部支柱２とを固定することを特徴とする組立支柱構造。
【請求項２】
前記ボルト軸１０へのナット止めは、前記下部支柱１又は上部支柱２に設けた点検窓１１を介して行われ、その点検窓１１は、前記ナット１０ｂの取付位置に対向する側面に設けられることを特徴とする請求項１に記載の組立支柱構造。
【請求項３】
前記下部支柱１の孔１４は、前記止板１２の先端に開口して設けられ、前記ボルト軸１０が、その開口から孔１４へ出入可能とするとともに、前記開口側縁には、その止板１２から下方に突出するストッパ１６を備え、前記孔１４に挿通したボルト軸１０の頭部１０ａの端面がストッパ１６に当接することにより、ボルト軸１０の軸周りの回転を阻止し、そのストッパ１６の下端部に孔１４に沿って延びる落下防止板１６ａを設けて、その落下防止板１６ａの上面で、前記ボルト軸１０の頭部１０ａを受けることにより、ボルト軸１０の落下を防止することを特徴とする請求項１又は２に記載の組立支柱構造。
【請求項４】
請求項１乃至３のいずれかに記載の組立支柱構造において、両支柱１，２の嵌合部内側の支柱端部に、その端縁に開口する上下方向の溝２６を形成し、その溝２６は下端から周方向に屈曲しており、前記両支柱１，２の嵌合部外側の支柱端部には、前記溝２６に嵌まるピン２５が設けられ、前記ボルト軸１０が支柱１，２の軸芯からずれている場合には、前記両孔１４，１５の一方が、前記溝２６の屈曲部に対応する前記軸芯周りの円弧状長孔として、前記両支柱１，２同士の軸周りの回転により、前記ボルト軸１０は、その長孔内を移動可能であることを特徴とする組立支柱構造。
【発明の詳細な説明】
【０００１】
【発明の属する技術分野】
この発明は、街路等に建てられる各種道路標識、照明器具などの支柱構造に関するものである。
【０００２】
【従来の技術】
街路灯などの照明器具や、道路標識等を固定するために使用する従来の支柱構造は、例えば、図７に示すような上下分割型の組立式のものがあり、地中の基礎に接続されるか、あるいは地盤Ｇに直接埋設されて固定される筒状の下部支柱１と、この下部支柱１の上に接続される同じく筒状の上部支柱２とからなる。
【０００３】
この下部支柱１と上部支柱２との接続は、図８に示すように、下部支柱１の上端部に、前記上部支柱２の内周部に嵌まるジョイント部３を溶接等により接合し、この下部支柱１の上端部にジョイント部３を突出させる。その上部支柱２の内周部にこのジョイント部３を挿入して、下部支柱１に上部支柱２を接続し、その下部支柱１に対する上部支柱２の軸周りの回転や軸方向に抜けるのを防止するために、下部支柱１と上部支柱２とを貫通するように、適宜側方からボルト４をねじ込んで両者を固定する。
【０００４】
このように、支柱を構成する部材を複数に分割してコンパクトにし、また、これらを現地での組立てとすることにより、部材の保管スペースの縮減、あるいはトラック積み等の作業の容易化を図るとともに、局部的な腐食や劣化、用途の変更、デザイン的取り替えの必要等が生じた際に、その支柱の対象部分の部材のみを交換できるようにしている。
【０００５】
【発明が解決しようとする課題】
この従来の上下分割型の組立支柱構造では、上部支柱２の外側から、上部支柱２と下部支柱１とを貫通するようにボルト４をねじ込んで両者を固定するため、そのボルト４が支柱外周面から突出して支柱の外観が悪くなる。また、ボルト４が外部に露出していることは、そのボルト４が雨水にさらされてボルト４自体やボルト穴の腐食の原因となるほか、第三者によるボルト４の弛緩等の悪戯等を排除できないので好ましくない。
【０００６】
そこで、この発明は、下部支柱１と上部支柱２とをボルト固定する場合に、そのボルトが、外部に露出しないようにすることを課題とする。
【０００７】
【課題を解決するための手段】
上記の課題を解決するために、この発明は、下部支柱と上部支柱からなり、その下部支柱上端部と上部支柱下端部とを嵌め合わせることにより、下部支柱と上部支柱とを接続する組立支柱構造において、前記下部支柱と上部支柱の内周面にそれぞれ横向きの止板を取り付け、その止板にそれぞれ上下方向の孔を形成する。その両孔にボルト軸を挿通してナット止めすることにより、前記両止板を近づける方向に締めつけて、下部支柱と上部支柱とを固定したのである。このようにすれば、ボルトが筒内に収められて外部から見えないので、支柱の接続部分の外観を悪くせず、また、ボルト等の腐食や、そのボルトを弛緩する悪戯等も排除し得る。
【０００８】
この下部支柱、又は、上部支柱の側面に点検窓を設け、その点検窓を介して前記ボルト軸のナット止めが出来るようにすれば、筒内での脱着作業が容易となり便利である。なお、前記点検窓は、前記ナットの取付位置に対向する側面に設けると、ナットに手や工具類が届きやすくなるので好ましく、また、筒内を密閉するために、その点検窓には、適宜開閉自在の扉や蓋などを取り付けてもよい。
【０００９】
前記下部支柱の上下方向の孔は、前記下部支柱の止板の先端に開口して設けられ、前記ボルト軸は、前記開口から孔へ出入可能とするとともに、前記開口側縁には、その止板から下方に突出するストッパを備え、前記孔に挿通したボルト軸の頭部の端面がストッパに当接することにより、ボルト軸が軸周りに回転しないようにする。このようにすれば、ボルト軸の回転が抑えられるので、ナットの緊締、弛緩が容易となる。
【００１０】
また、そのストッパの下端部に前記孔に沿って延びる落下防止板を設けて、その落下防止板の上面で前記ボルト軸の頭部を受けるようにする。このようにすれば、ボルト軸の落下を防ぐことができる。
【００１１】
さらに、上記構成の組立支柱構造において、前記上下両支柱の嵌合部内側の支柱端部に、その端縁に開口する上下方向の溝を形成し、その溝は下端から周方向に屈曲しており、前記上下両支柱の嵌合部外側の支柱端部には、前記溝に嵌まるピンを設けた構成を採用し得る。前記上下両支柱を嵌め合わせると、前記ピンが溝に収納されてその溝内を周方向へ移動するとともに、両支柱同士が軸周りに回転する。このとき、前記ボルト軸が支柱の軸芯からずれている場合には、前記両孔の一方を、前記溝の屈曲部に対応する前記軸芯周りの円弧状長孔とすれば、前記ボルト軸は、前記支柱の軸周りの回転とともに、その長孔内を移動可能である。このため、前記ピンと溝による支柱の抜け止め機能と併用してボルト軸による固定が可能となり、その両支柱の嵌め合わせの向きを調整し得る。
【００１２】
【発明の実施の形態】
一実施形態を図１乃至図４に示し、この実施形態の組立支柱構造は、地盤Ｇに固定される筒状の下部支柱１と、その下部支柱１の上に接続される上部支柱２とからなり、街路に設置される標識類や照明器具などを支持する支柱の構造として使用されるものである。
【００１３】
下部支柱１はその上端部に、筒状を成し上面開放したジョイント部３を有し、そのジョイント部３の上端部を上部支柱２の下端部の内周部に挿入することにより、下部支柱１に上部支柱２を接続する。
【００１４】
図２に示すように、ジョイント部３を構成する筒は、ベースプレート５を介して地盤Ｇに固定された下部支柱１の内周に取り付けられて、その下部支柱１上端部に位置するよう固定される。このジョイント部３の上端部は、外径を大きく広げた円周状の軸芯調整部２１を成しており、上部支柱２がジョイント部３に嵌められた際に、その軸芯調整部２１が上部支柱２の内周面に沿うようになっている。
【００１５】
また、前記ジョイント部３の下端部には、保持部２２を有しており、その保持部２２の外周に前記上部支柱２の下端を載せる水平な段部である顎部２３と、前記上部支柱２の内周面に沿うように形成された円筒面状の側周部２４を有している。
【００１６】
一方、図３に示すように、前記上部支柱２下端部の内周には、その内周面間を横断するピン２５を設け、ジョイント部３には、上部支柱２がジョイント部３に嵌められた際に、そのピン２５が収納される溝２６を設けている。
【００１７】
溝２６は、前記ジョイント部３上端縁に開口して上下方向に設けられ、その開口した導入部２６ａから下方へ向かって形成されて、その上下方向の溝下端２６ｂから周方向へ屈曲して水平方向の屈曲部２６ｃが形成される。
【００１８】
前記上部支柱２下端部の内周部に、前記ジョイント部３上端部を挿入することにより、図２に示すように、下部支柱１と上部支柱２が接続され、このとき、上部支柱２の下端が、その保持部２２の顎部２３に支持されるとともに、保持部２２の側周部２４にその内周が面的に接触して水平方向に保持される。また、円周状の軸芯調整部２１によって、上部支柱２の内周面が線的に接触して、上部支柱２が水平方向に動かないよう保持される。このため、上部支柱２は、前記保持部２２、及び軸芯調整部２１の２箇所で支えられて、両者の接続、固定が安定したものとなる。
【００１９】
また、図１に示すように、前記ピン２５は、ジョイント部３に対する上部支柱２の軸方向（上下方向）への移動とともに、溝導入部２６ａから溝下端２６ｂへ向かって移動し、その後、ジョイント部３に対する上部支柱２の軸周り（水平方向）の回転とともに、ピン２５は、前記下端２６ｂから屈曲部２６ｃの形状に沿って周方向へ向かって移動する。このため、ピン２５は、例えば、鉛直方向へ抜こうとする力など一方向の外力が作用しても、ピン２５が溝２６の屈曲部２６ｃ上面に当たってそれ以上上方へ移動しないので、上部支柱２が簡単に抜けてしまうことがない。
【００２０】
この上部支柱２内周面に、図３に示すように、半月状の止板１３が設けられて、その止板１３の円弧面が支柱２内周面に沿って取り付けられている。この止板１３を上下方向に貫く孔１５が形成され、前記下部支柱１のジョイント部３内には、同じく設けられた半月状の止板１２において、前記孔１５の直下付近に、その止板１２を上下方向に貫く孔１４が形成される。
【００２１】
その孔１４は、図３に示すように、前記止板１２の先端縁に開口して設けられ、前記開口を挟む両側縁において、それぞれ止板１２から下方に突出する板状のストッパ１６，１６を備えている。
【００２２】
この孔１４，１５に、ボルト軸１０を挿通する。ボルト軸１０は、一端に頭部１０ａを、他端にナット１０ｂをねじ込むねじ山を有しており、その頭部１０ａが、前記止板１２の下方に位置するようにボルト軸１０が挿通される。
【００２３】
前記頭部１０ａの外形は、長辺と短辺を有する四辺形を成しており、図４に鎖線で示すように、前記短辺を開口に向けて、前記頭部１０ａが、前記開口から矢印Ａの方向へ孔１４へ差し入れる。この状態で、ボルト軸１０の他端側を、上部支柱２の止板１３に設けた孔１５に挿通して、その他端に設けたねじ山にナット１０ｂを締めつける。図４に矢印Ｂで示すようにボルト軸１０を回転するとともに、その孔１４に差し入れたボルト軸１０の頭部１０ａの長辺をストッパ１６に当接させて（図１に示す状態）、ボルト軸１０が軸周りに回転しないようにする。
【００２４】
このとき、前記孔１４両側のストッパ１６，１６間の隙間が、頭部１０ａの短辺よりも広く、長辺よりも狭くなっているので、ボルト頭部１０ａの長辺がストッパ１６に確実に当接して、ボルト軸１０が孔１４から側方へ抜けてしまわない。この状態で、その後、ナット１０ｂを強く締めつけていく。
【００２５】
なお、ボルト軸１０の頭部１０ａを、ストッパ１６同士の成す隙間を通過させずに、ストッパ１６の下方を通過させた後、止板１２の根元側から先端側に向かってボルト軸１０を差し入れる場合には、前記ストッパ１６，１６間の隙間は、前記ボルト軸１０の軸が通過する幅を有すれば足りる。
【００２６】
このように、両孔１４，１５にボルト軸１０を挿通し、ナット１０ｂを緊締して、ボルト軸１０を締めつけることにより、止板１２，１３が引き寄せられて、接続された下部支柱１と上部支柱２が動かないよう強固に固定される。
【００２７】
このとき、前記ボルト軸１０は、図１に示すように、ピン２５に当たらないよう支柱１，２の軸芯からずれており、ピン２５は、上部支柱２の内周面間をその軸芯を通過するように結ばれている。このため、前記嵌め合わせの過程で、前記ピン２５が溝２６に収納されてその溝２６内を周方向に移動するとともに、両支柱１，２同士が軸芯周りに回転すると、前記両孔１４，１５の相互の位置関係は、必ずしも孔１４が孔１５の直下に位置せず、その軸芯周りに水平方向に回転移動する。
【００２８】
そこで、上部支柱２の孔１５を、図１又は図３に示すように、前記溝２６の屈曲部２６ｃに対応する前記軸芯周りの円弧状長孔として、前記ボルト軸１０は、前記支柱１，２の軸周りの回転とともに、その長孔１５内を移動可能としている。このため、下部支柱１と上部支柱２を嵌め合わせて、ピン２５が溝２６の導入部２６ａから下方向に移動して下端２６ｂに至った状態で、前記ボルト軸１０を両孔１４，１５に挿通してナット１０ａにより軽く締めつけ、その状態で、両支柱１，２を回転させて、ピン２５を溝２６内の屈曲部２６ｃを周方向に移動させる。ピン２５が溝２６内の所定の位置に達した状態で、前記ボルト軸１０のナット１０ｂを強く締めつける。このようにすれば、ボルト軸１０を挿通した状態で、両支柱１，２同士を軸周りに回転できるので、ボルト軸１０のナット１０ｂを締めつけて固定する際に、両支柱１、２の嵌め合わせ角度（軸周りの水平方向の向き）の微調整が可能である。
【００２９】
この長孔１５は、ピン２５の溝屈曲部２６ｃ内における周方向の移動に伴う、その両支柱１，２同士の軸周りの回転に対応するボルト軸１０の軸芯周りの回転移動範囲に合わせた長さ、形状、及び位置にあればよい。
【００３０】
また、前記ストッパ１６の下端部には、図１に示すように、そのストッパ１６の側壁から孔１４側に向かって水平に突出するように延びる板状の落下防止板１６ａを有しているので、頭部１０ａの長辺がストッパ１６側へ当接するようにボルト軸１０を止板１２端縁へ寄せておくと、ボルト軸１０を手から離しても、その頭部１０ａが落下防止板１６ａ上に載って止まるので、ボルト軸１０を落下させない。
【００３１】
この上部支柱２の前記止板１３の上方において、図２に示すように、上部支柱２の側面を開口した点検窓１１を設けており、この点検窓１１は、前記ナット１０ｂの取付位置に対向する側面に設けられているので、その点検窓１１から作業者が手やレンチ等工具類を差し入れることにより、前記ボルト軸１０の着脱作業、及びナット１０ｂの脱着、緊解を行うことができるようになっている。
【００３２】
その点検窓１１には、その点検窓１１の開口部を覆う蓋１７を設け、蓋１７は、上部支柱に着脱可能に取付られるので、前記ボルト軸１０取付後、その蓋１７を閉めれば、上部支柱２及び下部支柱１の筒内と外部とを遮断することができる。その蓋１７の着脱方法は、周知の嵌め外し可能な固着手段を用いてもよいし、蓋１７と上部支柱２とを貫通するようにボルト等をねじ込んで固定してもよい。また、蓋１７を蝶番を介して上部支柱２に固定して、開閉自在の扉状の蓋１７としてもよい。この蓋１７には、必要に応じてその開閉をできなくする施錠手段を設けることもできる。
【００３３】
なお、この点検窓１１を設けない場合には、前記ボルト軸１０のナット止めを、図２に破線で示すように、上部支柱２の上端開口部から回転杆Ｒを差し入れて、その回転杆Ｒをナット１０ｂに嵌めて回転することにより締めつける。このとき、下方の止板１２には、落下防止板１６ａを設けているので、ボルト軸１０が下方に落下しないよう、その落下防止板１６ａで支持できるので、ボルト軸１０の締めつけ作業に有効である。
【００３４】
この実施形態では、前記止板１３を上部支柱２に、止板１２を下部支柱１のジョイント部３内に設けたが、この実施形態には限定されず、その止板１２は、下部支柱１のジョイント部３以外の部分に設けてもよい。
【００３５】
また、止板１２，１３の形状は、この実施形態の半月状のものに限定されず、それぞれ、筒内に固定されて上下方向の孔１４，１５が設けられるに充分な面積を有していれば、例えば、多角形や円形、楕円形等であってもよい。また筒内において、止板１２，１３の一端を支柱内周面に固定して、片持ち状に支持してもよいし、筒内の内周面間を横断するように止板１２，１３の両端を支柱内周面に固定してもよい。
【００３６】
また、この実施形態では、前記孔１４は、ボルト軸１０を側方から挿入できるよう、止板１２の先端縁に側方開口させて設けたが、前記ボルト軸１０を、孔１４，１５に挿通し得る限りにおいて、必ずしも側方開口していなくてもよい。孔１４を側方開口しない場合は、ボルト軸１０は、その孔１４下方から上方に向かって挿通することとなる。
【００３７】
この孔１４は、ボルト軸１０の頭部１０ａを止板１２の下方に位置させて、ボルト軸１０を孔１４に挿通した状態において、頭部１０ａが孔１４を通過して上方へ抜けてしまわないように、頭部１０ａの鍔部が止板１２下面に当接し得る限りにおいて、孔１４の内径、形状は自由である。また、この頭部１０ａの形状は、上記の孔１４を通過しないものであり、ストッパ１６に当接する面を有してその回転を阻止する機能を有する限りにおいて、実施形態の四辺形には限定されない。
【００３８】
さらに、そのストッパ１６の態様は、前記ボルト軸１０の回転を阻止するように、孔１４の周囲のいずれかの場所に設けていればよく、図３に示す態様には限定されず、例えば、ストッパ１６を、前記開口側縁の片側に設けてもよいし、前記孔１４の周囲などの止板１２の先端縁以外に設けてもよいし、ストッパ機能を求めない場合には、ストッパ１６を省略してもよい。
【００３９】
また、孔１４下方の落下防止板１６ａの態様は、この実施形態のように、ストッパ１６の下端部から孔１４側へ向かって水平方向に突出させてもよいし、そのストッパ１６を省略する場合などは、止板１２とは別に、支柱内周面から孔１４下方に向かって突出させるように取り付けてもよい。
【００４０】
このほか、ボルト軸１０を上下反転させて、その頭部１０ａを、止板１３の上方に位置させてボルト軸１０を孔１４，１５に向かって下向きに挿通させるようにした構成も採用し得るが、この構成においては、ボルト軸１０の他端側において、ナット１０ｂの締めつけ作業等ができ得ることが必要である。このため、前記止板１２の下方側方において、そのナット１０ｂの取付位置に対向する側面に点検窓１１を設けることが望ましい。
【００４１】
つまり、請求項でいう、ナット１０ｂの取付位置に対向する側面とは、そのナット１０ｂが位置する高さと同じ高さ付近にある側面、及びその上下方向近傍の側面をいい、上部支柱２に設ける場合は、止板１３のやや上方、下部支柱１に設ける場合は、止板１２のやや下方であることが望ましい。支柱外からナット１０ｂへ至る距離が近くなるからである。
【００４２】
この実施形態では、下部支柱１と上部支柱２との接続に、溝２６及びその溝２６に収納されるピン２５を介在させていたが、このピン２５の態様、溝２６の態様は、例えば、前記ピン２５は、溝２６に収納され得る限りにおいて、上部支柱２内周面間を連結せずに、上部支柱２内周面に突出する態様であってもよい。その連結ピン、あるいは突出ピンの態様において、そのピン２５を結ぶ線が、この支柱１，２の軸芯を通過しない位置に設けた構成も想定されるが、この構成においても、前記長孔１５の長さ、形状、及び位置の態様は、ピン２５が軸芯を通過する場合と同じである。
【００４３】
また、溝２６の屈曲態様も、この実施形態のＬ型の溝には限定されない。例えば、前記屈曲部２６ｃは、両支柱１，２同士の嵌め合わせ時の軸周りの向きを調整するために水平であることが望ましいが、向きの調整機能を望まない場合には、屈曲部２６ｃを設けないか、下端２６ｂから溝２６の底に向かって下り勾配を有する屈曲部２６ｃとする、あるいは、その屈曲部２６ｃからさらに下方に向かって上下方向の溝を設けるなど、ピン２５が溝２６の底に落ちて水平方向に動かないようにしてもよい。
【００４４】
また、このピン２５と溝２６による固定の効果を求めない場合には、図５に示すように、溝２６及びピン２５を設けない構成も採用し得る。この場合は、ボルト軸１０は、前記軸芯周りに回転しないので、前記孔１５は長孔ではなく、ボルト軸１０が挿通し得る孔でよい。また、前記ピン２５が軸芯を通過しないものであり、ボルト軸１０が軸芯に位置する場合も、孔１５は長孔ではなく、ボルト軸１０が挿通し得る孔であってよい。
【００４５】
前記下部支柱１及び上部支柱２に、前記溝２６及びピン２５を設けないか、あるいは、前記溝２６に屈曲部を設けないようにして、ピン２５が周方向に移動しないようにした態様においては、前記ジョイント部３及び上部支柱２を構成する筒の断面は、この実施形態の円形に限らず、多角形や楕円形状などであってもよい。
【００４６】
また、前記上部支柱２を支えるジョイント部３の、前記下部支柱１に対する取付態様、その下部支柱１の地盤Ｇへの固定態様も自由であり、例えば、図６に示すように、下部支柱１の上端部に筒状のジョイント部３を嵌め込んで、適宜溶接して取り付けた態様も考えられる。さらに、前記ジョイント部３の態様は、この実施形態以外にも、例えば、前記保持部２２及び軸芯調整部２１のうち軸芯調整部２１を省略して、保持部２２を構成する顎部２３と側周部２４のみで上部支柱２を支持するようにした構成であってもよい。
【００４７】
いずれの態様においても、前記ジョイント部３の上面開放は、ボルト軸１０が上下方向に通るものであればよく、必ずしも図示するようなジョイント部３の上面全体が開放したものでなくてもよい。
【００４８】
さらに、上下両支柱１，２を逆にした嵌め合わせを用いた構成も考えられる。この場合、前記ジョイント部３は、上部支柱２下端部に上下反転して設けられ、そのジョイント部３を、下部支柱内周部に嵌め込んで、下部支柱１と上部支柱とを接続するものである。前記止板１２を下部支柱１に、止板１３を上部支柱２、又はその上部支柱２のジョイント部３に設けて、嵌め合わせの構成を上下反転させた以外の構成、効果は同じである。
【００４９】
【発明の効果】
この発明は、以上のようにしたので、下部支柱１と上部支柱２とを強固に固定でき、また、固定するボルトが外部に露出しないので、支柱の美観を損なわない。
【図面の簡単な説明】
【図１】一実施形態の斜視図
【図２】同実施形態の切断正面図
【図３】図１の下部支柱と上部支柱の接続部を示す詳細図
【図４】図１の接続方法を示す説明図
【図５】他の実施形態を示す斜視図
【図６】他の実施形態を示す切断正面図
【図７】従来例の正面図
【図８】従来例の接続方法を示す説明図
【符号の説明】
１  下部支柱
２  上部支柱
３  ジョイント部
４  ボルト
５  ベースプレート
１０  ボルト軸
１０ａ  頭部
１０ｂ  ナット
１１  点検窓
１２，１３  止板
１４，１５  孔
１６  ストッパ
１６ａ  落下防止板
１７  蓋
２１  軸芯調整部
２２  保持部
２３  顎部
２４  側周部
２５  ピン
２６  溝
Ｇ  地盤
【図１】
2004339751.tif 000003
【図２】
2004339751.tif 000004
【図３】
2004339751.tif 000005
【図４】
2004339751.tif 000006
【図５】
2004339751.tif 000007
【図６】
2004339751.tif 000008
【図７】
2004339751.tif 000009
【図８】
2004339751.tif 000010